(57)【特許請求の範囲】
【請求項１】
カメラ本体内に収納される収納位置と、カメラ本体から突出する突出位置との間で回動自在とされ、突出位置にある際に、カメラ本体の変倍動作に連動してストロボ光の照射範囲を切り換えるカメラのストロボ装置において、
前記カメラ本体に取り付けられた回動軸に軸支され、収納位置と突出位置との間で回動自在とされたストロボカバーと、
前記ストロボカバーに取り付けられ、ストロボ発光部を撮影光軸方向に沿って移動自在に保持する外枠部材と、
前記外枠部材に回動自在に取り付けられ、一端に設けられた連係ピンが前記回動軸の軸方向に移動されたときに回動して、他端に係合された前記ストロボ発光部を撮影光軸方向に移動させる変換部材と、
前記回動軸の近傍に組み込まれ、前記回動軸に沿って移動自在とされた連動部材と、
前記連動部材に設けられて前記連係ピンを前記回動軸の軸方向で挟み込み、前記ストロボカバーが収納位置と突出位置との間での回動する際に、前記連係ピンの前記回動軸に直交する方向での移動を許容する係合部と、
前記カメラ本体の変倍動作に連動して該連動部材を移動させる連動機構を備えたことを特徴とするカメラのストロボ装置。
【請求項２】
前記連動部材は、ストロボカバーの回動軸に取り付けられてスライド自在とされていることを特徴とする請求項１記載のカメラのストロボ装置。
【請求項３】
前記連動機構がカメラ本体の変倍動作に連動して変倍するファインダの変倍動作機構を介して動作することを特徴とする請求項１または２記載のカメラのストロボ装置。
【発明の詳細な説明】
【０００１】
【発明の属する技術分野】
本発明は、ポップアップ動作とストロボ光の照射範囲の切り換えとを行うカメラのストロボ装置に関するものである。
【０００２】
【従来の技術】
手軽に、高画質な夜間撮影や逆光撮影が行えるように、ポップアップ式のズームストロボ装置を備えたカメラがある。特許第２６６２９６９号に記載されているポップアップ式のズームストロボ装置は、カメラ本体に回動自在に軸支されたストロボカバー内に、撮影光軸方向に沿って移動自在なストロボ発光部を組み込んでいる。ストロボカバーは、カメラ本体内に収納される収納位置と、カメラ本体から突出する突出位置との間で回動自在とされている。ストロボ発光部は、ズームレンズを変倍駆動するズームモータの回転を利用して、連動部材であるカム板を移動させ、このカム板に形成されたカム面の凹凸をズームレバーを介してストロボ発光部に伝達してストロボ発光部を移動させ、ストロボ光の照射角度を切り換えている。
【０００３】
【発明が解決しようとする課題】
従来のズームストロボ装置は、ストロボカバーの回動軸と、カム板との組み込み位置が離れているため、ストロボカバーが収納位置に回動した際に、ズームレバーとカム板との連係が切り離されるようになっている。そのため、ストロボカバーが収納位置から突出位置に移動した際に、ズームレバーとカム板とが再度連係できるようにストロボ発光部を一方向に付勢する必要があった。また、この付勢のためのバネによる部品点数の増加によって、カメラがコストアップするという問題があった。更に、カム板とズームレバーとによるストロボ発光部の移動には、ストロボ発光部を付勢するバネの付勢力に打ち勝つだけの力量が必要となるため、トルクの大きなズームモータが必要となり、消費電力の増加につながるという問題もあった。
【０００４】
本発明は、上記問題点を解決するためのもので、ストロボカバーの位置にかかわらず、ストロボ発光部と連動部材との連係を維持するようにしたことを目的とする。
【０００５】
【課題を解決するための手段】
上記問題点を解決するために、本発明のカメラのストロボ装置は、カメラ本体に取り付けられた回動軸に軸支され、収納位置と突出位置との間で回動自在とされたストロボカバーと、このストロボカバー内に組み込まれ、撮影光軸方向に沿って移動自在とされたストロボ発光部と、該回動軸の近傍に組み込まれ、回動軸に沿って移動自在とされた連動部材と、カメラ本体の変倍動作に連動して該連動部材を移動させる連動機構と、該連動部材の移動を、撮影光軸方向の移動に変換してストロボ発光部を移動させる切換部材とから構成したものである。
【０００６】
また、連動部材をストロボカバーの回動軸に取り付けてスライド自在にしたものである。更に、カメラ本体の変倍動作に連動して変倍するファインダの変倍動作機構を介して、連動機構を動作するようにしたものである。
【０００７】
【発明の実施の形態】
図１及び図２は、本発明のカメラの使用時及び不使用時の状態を示す外観斜視図である。カメラ２の前面には、図中左方に位置する使用位置と、中央部に位置する不使用位置との間でスライド自在とされたスライドカバー３が取り付けられている。このスライドカバー３が不使用位置にある際にスライドカバー３によって覆い隠される位置には、レンズ鏡筒４，対物側ファインダ窓，測光窓６，リモコン受信部７が設けられている。また、対物側ファインダ窓５の左右には、被写体までの距離を測定するための投光素子と受光素子とが奥に組み込まれている。
【０００８】
レンズ鏡筒４は、不使用時にカメラ２内に沈胴し、電源投入時にカメラ２の前面から繰り出される。レンズ鏡筒４内には、ズーム光学系を構成する撮影レンズ９が組み込まれている。対物側ファインダ窓５の奥には、ズーム光学系の変倍動作に連動して変倍するズームファインダが組み込まれている。
【０００９】
スライドカバー３は略板状であり、カメラ２の前面上下部分に設けられた溝１１に嵌合されてスライド自在とされている。この溝１１の奥には、スライドカバー３のスライドに連動してオン／オフする電源スイッチと、ストロボスイッチとが組み込まれている。カメラ２の上面には、半押しで測光と測距とを行い、深く押し込まれることでシャッタレリーズとストロボ発光とを行わせるシャッタボタン１２が設けられている。なお、詳しくは図示しないが、カメラ２の背面には、ズームレンズの変倍操作を行う変倍スイッチが設けられている。
【００１０】
カメラ２の前面上方角部には、ポップアップ式のズームストロボ装置１５が設けられている。このズームストロボ装置１５は、スライドカバー３の不使用位置と使用位置との間のスライドに連動して、カメラ２内に収納される収納位置とカメラ２から突出する突出位置との間で移動する。
【００１１】
図３は、ズームストロボ装置１５の構成を示す分解斜視図である。屈曲され薄板状のストロボカバー１７は、カメラ２の外装部品の一部をなすもので、端部に一対の軸着部１８，１９が形成されている。この軸着部１８，１９には、カメラ２内に組み込まれたストロボ保持フレーム２０に取り付けられた回動軸２１が挿通され、ストロボカバー１７を回動自在に支持する。
【００１２】
ストロボカバー１７の内側には、外枠部材２３と、ストロボ発光部２４と、ストロボ集光板２５とが組み込まれている。外枠部材２３は、例えばプラスチックでフレーム状に形成されており、ストロボカバー１７の両側方と下方とを覆う。外枠部材２３の前面部には、ストロボ光を集光するストロボ集光板２５が取り付けられる。
【００１３】
ストロボ発光部２４は、略箱形状の移動枠２７と、この移動枠２７の内側に組み込まれたリフレクタ２８と、ストロボ放電管２９と、スライド軸３０に対して自在に摺動し得る軸着部２７ａとからなる。スライド軸３０は、ストロボカバー１７の軸着部１８，１９の間と外枠部材２３の下面とに形成された軸受け部１７ａ，２３ａに両端が支持され、撮影レンズ９の撮影光軸に沿って固定される。こうして、移動枠２７は、下方角部に設けられた軸着部２７ａがスライド軸３０に対して外枠部材２３の内側において、スライド自在に組み込まれる。詳しくは図示しないが、ストロボ放電管２９はカメラ２内に組み込まれたストロボ回路に接続されており、被写体輝度に応じて発光する。
【００１４】
ストロボカバー１７の一方の軸着部１８には、数個の歯からなる従動ギヤ３２が形成されている。ストロボ保持フレーム２０の一方の側面には、従動ギヤ３２に噛合する駆動ギヤ３３を備えたポップアップレバー３４が回動自在に取り付けられている。このポップアップレバー３４は、捩じりバネ３５によって図中時計方向に付勢され、ストロボカバー１７を突出位置に向けて回動させる。ポップアップレバー３４の端部には、コイルバネ３６の一端が取り付けられている。このコイルバネ３６は、他端がカメラ２の前面内側に揺動自在に組み込まれたＴ状レバー３７の一方のアーム３７ａに固着され、ポップアップレバー３４を捩じりバネ３５と反対の反時計方向に付勢する。このコイルバネ３６による付勢は、捩じりバネ３５の付勢力よりも強くなるように設定されている。
【００１５】
Ｔ状レバー３７の中央のアーム３７ｂには、カバー用連動レバー３９が取り付けられている。このカバー用連動レバー３９は、カメラ２の前面内側にスライド自在に組み込まれており、端部に被押圧部３９ａが形成されている。スライドカバー３の内壁面に形成され、上部の溝１１からカメラ２内に挿入される押圧片３ａは、スライドカバー３が不使用位置にスライドされた際にカバー用連動レバー３９の被押圧部３９ａを押圧し、スライドカバー３が使用位置にスライドされた際に被押圧部３９ａの押圧を解除する。
【００１６】
上記構成において、スライドカバー３が不使用位置にある際には、カバー用連動レバー３９が押圧されてＴ状レバー３７が図中反時計方向に回動し、コイルバネ３６を介してポップアップレバー３４の端部を引っ張って反時計方向に回動させる。これにより、駆動ギヤ３３に噛合された従動ギヤ３２が時計方向に回動し、ストロボカバー１７を収納位置に回動する。これとは逆に、スライドカバー１７が使用位置にある際には、捩じりバネ３５がポップアップレバー３４を図中時計方向に回動させ、ストロボカバー１７を突出位置に向けて回動させる。
【００１７】
Ｔ状レバー３７の他方のアーム３７ｃには、スイッチピン４１が立設されており、このスイッチピン４１はストロボスイッチ４２に対面している。ストロボスイッチ４２は、プラスチック等の絶縁体で形成されたホルダ４３に保持された２本の金属接片４４ａ，４４ｂからなり、これらの金属接片４４ａ，４４ｂはカメラ２内のストロボ回路に接続されている。２本の金属接片４４ａ，４４ｂが接触すると、ストロボ回路がオンしてストロボ充電が開始される。
【００１８】
２本の金属接片４４ａ，４４ｂは、常に接触するようにされているが、スライドカバー３が不使用位置にスライドされると、カバー用連動レバー３９が押圧され、これに連動してＴ状レバー３７が回動し、スイッチピン４１によって、一方の金属接片４４ａが押圧され、他方の金属切片４４ｂから離れる方向に弾性変形される。これにより、スライドカバー３が不使用位置にあるときにはストロボ充電は行われず、スライドカバー３が使用位置にあるときにのみ、ストロボ充電が実施される。
【００１９】
ストロボ発光部の移動枠２７の軸着部２７ａの下方には、連係ピン４６が立設されている。この連係ピン４６は、変換部材である略Ｌ字形状の変換レバー４７の一端に形成された穴４７ａに挿通される。変換レバー４７は、屈曲部に形成された穴４７ｂが外枠部材２３の下面に形成されたピン２３ｂに挿通されて回動自在に外枠部材２３に取り付けられる、他端には下方に向かう連係ピン４８が一体に形成されている。これにより、変換レバー４７が回動すると、移動枠２７がスライド軸３０に沿ってスライドする。
【００２０】
ストロボ保持フレーム２０に取り付けられた回動軸２１には、側面に二つの係合部５０ａ，５０ｂが形成された連動部材５０がスライド自在に取り付けられている。この連動部材５０の一方の係合部５０ａには、変換レバー４７の連係ピン４８が嵌合され、他方の係合部５０ｂには、連動機構を構成する回動レバー５２の連係ピン５３が嵌合される。これらの係合部５０ａ，５０ｂは、連係ピン４８，５３を左右から挟み込む簡単な形態のものであり、ストロボカバー１７が収納位置と突出位置との間で回動しても、回動軸２１の近傍はストロボ発光部２４との位置の変移が少ないため、連動部材５０と連係ピン４８、５３との連係が解除されることはない。
【００２１】
回動レバー５２は、ストロボ保持フレーム２０の下面に回動自在に取り付けられており、一方のアームには連係ピン５３が、他方のアームには長穴５４が形成されている。長穴５４には、同様に連動機構を構成するファインダ連動レバー５５の連係ピン５６が挿通される。ファインダ連動レバー５５は、略Ｌ字形状とされており、屈曲部を中心に回動自在とされ、一体に連係ピン５６が、他端に穴５７が形成されている。穴５７には、ズームファインダ５９の対物側レンズ６０のレンズ枠６１に設けられたピン６２が挿入される。
【００２２】
ズームファインダ５９は、対物側レンズ６０と接眼側レンズ６３とからなり、これらのレンズ６０，６３はそれぞれレンズ枠６１，６４に保持されている。各レンズ枠６１，６４は、撮影光軸に沿って配置されたスライド軸６６に、一体に形成された筒部６１ａ，６４ａが挿通されることで、スライド軸６６に沿ってスライド自在とされている。
【００２３】
各レンズ枠６１，６４の下方には、カムピン６１ｂ，６４ｂが一体に形成されており、これらのカムピン６１ｂ，６４ｂは、カム軸６５の外周面に形成されたカム溝６５ａ，６５ｂに係合される。カム軸は、ズームレンズの変倍を行うズームモータ６７によって回転される。これにより、レンズ枠６１，６４はカム溝６５ａ，６５ｂに沿って対物側レンズ６０と接眼側レンズ６３とを移動させる。前記ファインダ連動レバー５５は、このズームファインダ５９の変倍動作に連動して回動し、この回動を回動レバー５２に伝達する。回動レバー５２は、連動部材５０を回動軸に沿ってスライドさせ、連動部材５０は変換レバー４７を回動させる。これにより、移動枠２７は、ズームモータ６７の回転によって撮影光軸に沿って移動し、ストロボ光の照射範囲を切り換える。
【００２４】
次に、上記実施形態の作用について説明する。図２に示すように、不使用時のカメラ２は、スライドカバー３が中央の不使用位置にスライドされ、撮影レンズ９等が保護されている。この不使用常態では、ズームストロボ装置１７もカメラ２内に収納される収納位置にある。
【００２５】
図１に示すように、スライドカバー３を使用位置にスライドすると、図３に示すように、スライドカバー３の押圧片３ａによるカバー用連動レバー３９の押圧が解除される。コイルバネ３６による引っ張りが解除された捩じりバネ３５は、ポップアップレバー３４を図中時計方向に回動させ、駆動ギヤ３３と従動ギヤ３２との噛合により、ストロボカバー１７を突出位置に回動させる。これにより、ストロボ集光板２５が被写体に対面する。
【００２６】
また、捩じりバネ３５は、コイルバネ３６を介してＴ状レバー３７を時計方向に回動させ、スイッチピン４１による金属接片４４ａの弾性変形を停止する。これにより、金属接片４４ａ、４４ｂが接触し、ストロボ回路がオンしてストロボ充電が開始される。また、スライドカバー３が使用位置に到達すると、カメラ２の電源スイッチがオンし、レンズ鏡筒４がカメラ２の前面から繰り出される。
【００２７】
ユーザーがカメラ２の背面の変倍スイッチを操作すると、その操作内容に応じてズームモータ６７が回転し、ズームレンズを変倍する。また、これと同時にズームモータ６７の回転はカム軸６５に伝達され、カム溝６５ａ，６５ｂによって対物側レンズ６０と接眼側レンズ６３とをスライド軸６５に沿ってスライドさせ、ズームレンズの変倍に合わせてズームファインダ５９を変倍させ、視野範囲を変化させる。
【００２８】
ズームファインダ５９の変倍は、ピン６２によってファインダ連動レバー５５に伝達され、ファインダ連動レバー５５を回動させる。ファインダ連動レバー５５の回動は、連係ピン５６を介して回動レバー５２に伝達され、回動レバー５２の回動は連動部材５０を回動軸２１に沿ってスライドさせる。連動部材５０のスライドは、変換レバー４７によって回動運動に変換され、最後に移動枠２７をスライド軸３０に沿って撮影光軸方向で移動させる。これにより、ズームストロボ装置１７のストロボ光の照射角度が、ズームレンズの変倍に合わせて変化する。
【００２９】
なお、ズームストロボ装置１７が収納位置と突出位置との間で回動しても、連動部材５０と移動枠２７との位置の変移は非常に小さいので、連動部材５０と移動枠２７との連係が解除されることはない。これにより、移動枠２７をバネ等の付勢によって基準位置に寄せる必要はなく、移動枠２７のスライドを軽い力で行うことができるので、大きなズームモータを必要とせず、消費電力も抑えることができる。
【００３０】
カメラ２の使用後には、スライドカバー３を不使用位置にスライドさせる。スライドカバー３を不使用位置に向けてわずかにスライドさせると、カメラ２の電源スイッチがオフし、レンズ鏡筒４はカメラ２内に沈胴する。レンズ鏡筒４の沈胴後にスライドカバー３を不使用位置までスライドすると、押圧片３ａによってカバー用連動レバー３９が押圧される。これにより、Ｔ状レバー３７が図中反時計方向に揺動し、コイルバネ３６を介してポップアップレバー３４が反時計方向に回動する。これにより、駆動ギヤ３３と従動ギヤ３２との噛合により、ズームストロボ装置１７は収納位置に回動する。また、スイッチピン４１によって金属接片４４ａが弾性変形されるので、ストロボ充電もオフされる。
【００３１】
なお、上記実施形態は、本発明のストロボ装置をコンパクトカメラに組み込んだ例について説明したが、一眼レフカメラや、インスタントカメラ、電子スチルカメラ等にも適用することができる。また、連動部材を回動軸に取り付けたが、回動軸の近傍に別途スライド軸を取り付け、このスライド軸に連動部材を取り付けても良い。
【００３２】
【発明の効果】
以上説明したように、本発明のカメラのストロボ装置は、ストロボカバーが回動する際に、ストロボ発光部との位置の変移が最も小さな回動軸の近傍に連動部材を設けるようにしたので、ストロボカバーの回動に関わらず、ストロボ発光部と連動機構との連係を維持することができる。また、連動部材を回動軸に取り付けたので、部品点数の削減と、カメラの小型化とを実現することができる。
【図面の簡単な説明】
【図１】本発明のストロボ装置を組み込んだカメラの使用時の状態を示す外観斜視図である。
【図２】カメラの不使用時の状態を示す外観斜視図である。
【図３】ズームストロボ装置の構成を示す分解斜視図である。
【符号の説明】
２  カメラ
３  スライドカバー
１５  ズームストロボ装置
１７  ストロボカバー
２０  ストロボ保持フレーム
２１  回動軸
２３  外枠部材
２４  ストロボ発光部
２５  ストロボ集光板
３４  ポップアップレバー
４７  変換レバー
５０  連動部材
５２  回動レバー
５５  ファインダ連動レバー
５９  ズームファインダ
６７  ズームモータ
【図１】
0004121233.tif 000002
【図２】
0004121233.tif 000003
【図３】
0004121233.tif 000004